(57)【要約】【課題】本発明は、送られてきた電子書籍データを外部の表示装置に表示させると共に書誌情報に関連する曲データを再生させる情報処理装置、曲配信装置、電子書籍表示システム及びコンピュータプログラムを提供する。【解決手段】携帯端末装置３から送られてきた電子書籍データが情報処理装置１により受信される。情報処理装置１は、電子書籍データに含まれる書誌情報を曲配信サーバ装置４に送信し、曲配信サーバ装置４から配信されてきた曲データの受信を開始する。情報処理装置１は、選択した一部のページの電子書籍データ及び曲データ夫々を画像信号及び音声信号に変換して表示装置２に出力し、表示及び再生を開始する。情報処理装置１は、携帯端末装置３から操作信号を受信した場合、選択されている一部のページを異なるページに変更して携帯端末装置３による電子書籍データの閲覧操作を実行する。【選択図】図１
2010068044.tif 000002
【特許請求の範囲】
【請求項１】
電子書籍データを受信する電子書籍データ受信手段と、該電子書籍データ受信手段が受信した電子書籍データを画像信号に変換して出力する画像信号出力手段とを備えた情報処理装置において、
前記電子書籍データに含まれる書誌情報を送信する書誌情報送信手段と、
該書誌情報送信手段が送信した前記書誌情報に応じて送られてきた曲データを受信する曲データ受信手段と、
該曲データ受信手段が受信した前記曲データを音声信号に変換して出力する音声信号出力手段と
を備えることを特徴とする情報処理装置。
【請求項２】
前記電子書籍データは、複数ページからなり、
前記画像信号出力手段は、
前記複数ページのうち、一部のページを選択して画像信号に変換するよう構成してあり、
操作を受付ける操作受付手段と、
前記電子書籍データの送信元からの操作信号を受信する操作信号受信手段と
を備え、
前記画像信号出力手段は、
前記操作受付手段が受け付けた前記操作又は前記操作信号受信部が受信した前記操作信号に基づいて前記一部のページと異なるページを選択して画像信号に変換するよう構成してある
ことを特徴とする請求項１に記載の情報処理装置。
【請求項３】
前記曲データは、曲内容情報を含んでおり、
前記画像信号出力手段は、
前記書誌情報又は前記曲内容情報を画像信号に変換して出力するよう構成してある
ことを特徴とする請求項１又は請求項２に記載の情報処理装置。
【請求項４】
前記書誌情報の一部若しくは全部又は前記曲内容情報の一部若しくは全部を含む選択情報を受付ける選択情報受付手段と、
該選択情報受付手段が受付けた前記選択情報を送信する選択情報送信手段と、
該選択情報送信手段が送信した前記選択情報に応じて送られてきた関連情報を受信する関連情報受信手段と、
該関連情報受信手段が受信した前記関連情報を前記電子書籍データの送信元に送信する関連情報送信手段と
を備えることを特徴とする請求項３に記載の情報処理装置。
【請求項５】
複数の電子メールアドレスを記憶した電子メールアドレス記憶手段を備え、
前記関連情報送信手段は、
前記電子メールアドレス記憶手段が記憶した前記複数の電子メールアドレスのうち、選択された電子メールアドレスへ前記関連情報を送信するよう構成してある
ことを特徴とする請求項４に記載の情報処理装置。
【請求項６】
前記選択情報に関連する商品の購入を受付ける購入受付手段と、
該購入受付手段が受付けた商品に関する購入情報を外部の代金決済装置に送信する購入情報送信手段と
を備えることを特徴とする請求項４又は請求項５に記載の情報処理装置。
【請求項７】
前記関連情報受信手段は、
前記選択情報に関連する商品情報を受信するよう構成してあり、
前記購入受付手段は、
前記商品情報に基づいて商品の購入を受付けるよう構成してある
ことを特徴とする請求項６に記載の情報処理装置。
【請求項８】
前記音声信号出力手段は、
前記曲データ受信手段が１つの曲データを受信した場合、前記１つの曲データを繰り返し音声信号に変換して出力し、複数の曲データを受信した場合、前記複数の曲データから選択した１つの曲データを繰り返し音声信号に変換して出力するよう構成してある
ことを特徴とする請求項１から請求項７までのいずれか一項に記載の情報処理装置。
【請求項９】
前記曲内容情報は、対応する楽曲の年代情報が含まれており、
前記音声信号出力手段は、
前記曲データ受信手段が複数の曲データを受信した場合、前記年代情報に基づいて順番を決定し、決定した順番に従って前記複数の曲データ夫々を音声信号に変換して出力するよう構成してある
ことを特徴とする請求項３から請求項７までのいずれか一項に記載の情報処理装置。
【請求項１０】
複数の曲データが格納された曲データベースと、電子書籍データに対応した曲データの要求を受信する要求受信手段と、前記要求に応じて前記曲データを配信する曲データ配信手段とを備えた曲配信装置において、
前記複数の曲データ夫々は、曲内容情報を含んでおり、
前記要求は、
前記電子書籍データに含まれる書誌情報からなり、
前記曲データ配信手段は、
前記書誌情報に関連する曲内容情報を検索し、該曲内容情報を含む曲データを前記曲データベースから読み出して前記要求の要求元に配信するよう構成してある
ことを特徴とする曲配信装置。
【請求項１１】
前記曲データ配信手段は、
前記曲データベースから１つの曲データを読み出した場合、前記１つの曲データを繰り返して配信し、前記曲データベースから複数の曲データを読み出した場合、前記複数の曲データから選択した１つの曲データを繰り返し配信するよう構成してある
ことを特徴とする請求項１０に記載の曲配信装置。
【請求項１２】
前記曲内容情報は、対応する楽曲の年代情報を含んでおり、
前記曲データ配信手段は、
前記曲データベースから複数の曲データを読み出した場合、前記年代情報に基づいて順番を決定し、決定した順番に従って前記曲データ夫々を配信するよう構成してある
ことを特徴とする請求項１０に記載の曲配信装置。
【請求項１３】
電子書籍データを受信し画像信号に変換して出力する情報処理装置と、該情報処理装置が出力した前記画像信号を表示する表示装置とを備える電子書籍表示システムにおいて、
複数の曲データを格納した曲データベースから曲データを読出して配信する曲配信装置を備え、
前記情報処理装置は、
前記電子書籍データに含まれる書誌情報を前記曲配信装置に送信する書誌情報送信手段
を備え、
前記曲配信装置は、
前記書誌情報を受信し、該書誌情報に対応する曲データを前記曲データベースから読出して前記情報処理装置に配信する曲データ配信手段
を備え、
前記情報処理装置は、
前記曲配信装置から配信されてきた前記曲データを受信する曲データ受信手段と、
該曲データ受信手段が受信した前記曲データを音声信号に変換して出力する音声信号出力手段を
更に備え、
前記表示装置は、
前記音声信号出力手段が出力する前記音声信号を再生するよう構成してある
ことを特徴とする電子書籍表示ステム。
【請求項１４】
記憶部に記憶してあり、書誌情報を含む電子書籍データを画像信号に変換するためのコンピュータプログラムにおいて、
コンピュータに、
前記書誌情報に関連する曲データを取得する曲データ取得ステップと、
前記電子書籍データ及び前記曲データ夫々を画像信号及び音声信号に変換する変換ステップと
を実行させることを特徴とするコンピュータプログラム。
【発明の詳細な説明】
【技術分野】
【０００１】
本発明は、電子書籍データを表示すると共に書誌情報に関連する曲データを再生するための情報処理装置、曲配信装置、電子書籍表示システム及びコンピュータプログラムに関する。
【背景技術】
【０００２】
近年、小説及び漫画等からなる書籍の内容をテキスト及び画像を用いて電子化した電子書籍が広く使われている。電子書籍は、テキストデータ及び画像データと、書誌情報とからなる電子書籍データとして提供される。また、情報配信サーバ装置から携帯電話機等の携帯端末装置へ電子書籍及び曲等からなる様々なコンテンツを配信するサービスが使われてきている。携帯端末装置に配信されたコンテンツは、携帯端末装置に備えられた表示部及びスピーカにより表示及び再生してユーザにより視聴可能にされている。小型化された携帯端末装置は、携帯性に優れるという長所を有するが、小面積の表示画面にコンテンツが表示されるため、視認性が悪いという欠点を有する。特に、電子書籍を表示する場合、小面積の表示画面に表示可能となる文字数が少なく、また画像を表示する表示面積が小さいために、電子書籍を閲覧し難くなる。そこで、特許文献１に記載の携帯端末装置は、記憶しているコンテンツを映像音声信号に変換し、テレビジョン受像機等の大きな表示面積を有する外部の表示装置に出力して表示及び再生するようにしてある。
【特許文献１】特開２００５−２５２７８４号公報
【発明の開示】
【発明が解決しようとする課題】
【０００３】
しかしながら、特許文献１に記載の携帯端末装置を電子書籍の閲覧に用いた場合、電子書籍の内容と関連する曲を取得して再生することにより、臨場感のある電子書籍の閲覧を提供することができないという問題があった。また、電子書籍及び曲に関連する関連情報を取得して電子書籍と共に表示装置に表示又は携帯端末装置へ送信することができないという問題があった。さらに、電子書籍及び曲に関連する商品情報を提供して商品の購入を可能にすることにより、商品の購入機会を創出することが出来ないという問題があった。
【０００４】
本発明は斯かる事情に鑑みてなされたものであり、書誌情報に関連する曲データを受信する曲データ受信手段を備えることにより、電子書籍データに対応する曲データの再生を行って臨場感のある電子書籍の閲覧が可能となる情報処理装置、電子書籍表示システム及びコンピュータプログラムを提供することを目的とする。また、本発明の他の目的は、書誌情報に関連する曲データを配信する曲データ配信手段を備えることにより、電子書籍データに対応した曲データの配信が可能となる曲配信装置を提供することにある。
【０００５】
また、本発明の他の目的は、曲データに関連する関連情報を取得する関連情報受信手段を備えることにより、関連情報の表示装置への表示及び携帯端末装置への送信が可能となる情報処理装置を提供することにある。また、本発明の他の目的は、曲データに関連する商品の購入を受付ける購入受付手段と、受付けた商品に関する購入情報を外部の代金決済装置に送信する購入情報送信手段とを備えることにより、商品の購入機会を創出することが可能となる情報処理装置を提供することにある。
【課題を解決するための手段】
【０００６】
本発明に係る情報処理装置は、電子書籍データを受信する電子書籍データ受信手段と、該電子書籍データ受信手段が受信した電子書籍データを画像信号に変換して出力する画像信号出力手段とを備えた情報処理装置において、前記電子書籍データに含まれる書誌情報を送信する書誌情報送信手段と、該書誌情報送信手段が送信した前記書誌情報に応じて送られてきた曲データを受信する曲データ受信手段と、該曲データ受信手段が受信した前記曲データを音声信号に変換して出力する音声信号出力手段とを備えることを特徴とする。
【０００７】
本発明にあっては、携帯端末装置から送られてきた電子書籍データが情報処理装置により受信される。情報処理装置は、電子書籍データに含まれる書誌情報を曲配信装置に送信する。情報処理装置は、書誌情報に応じて曲配信装置から送られてきた曲データを受信する。情報処理装置は、電子書籍データ及び曲データ夫々を画像信号及び音声信号に変換し、外部の表示装置に出力して表示及び再生させる。
【０００８】
本発明に係る情報処理装置は、前記電子書籍データは、複数ページからなり、前記画像信号出力手段は、前記複数ページのうち、一部のページを選択して画像信号に変換するよう構成してあり、操作を受付ける操作受付手段と、前記電子書籍データの送信元からの操作信号を受信する操作信号受信手段とを備え、前記画像信号出力手段は、前記操作受付手段が受け付けた前記操作又は前記操作信号受信部が受信した前記操作信号に基づいて前記一部のページと異なるページを選択して画像信号に変換するよう構成してあることを特徴とする。
【０００９】
本発明にあっては、情報処理装置又は電子書籍データの送信元である携帯端末装置が操作されることにより、情報処理装置が表示装置に表示させている電子書籍データのページ送り操作及びページ戻り操作等の閲覧操作が指示される。
【００１０】
本発明に係る情報処理装置は、前記曲データは、曲内容情報を含んでおり、前記画像信号出力手段は、前記書誌情報又は前記曲内容情報を画像信号に変換して出力するよう構成してあることを特徴とする。
【００１１】
本発明にあっては、書籍名、作者名及び出版社等からなる書誌情報又は曲名、作曲者名、歌手名及びジャンル情報等からなる曲内容情報が電子書籍データと共に表示装置に表示される。
【００１２】
本発明に係る情報処理装置は、前記書誌情報の一部若しくは全部又は前記曲内容情報の一部若しくは全部を含む選択情報を受付ける選択情報受付手段と、該選択情報受付手段が受付けた前記選択情報を送信する選択情報送信手段と、該選択情報送信手段が送信した前記選択情報に応じて送られてきた関連情報を受信する関連情報受信手段と、該関連情報受信手段が受信した前記関連情報を前記電子書籍データの送信元に送信する関連情報送信手段とを備えることを特徴とする。
【００１３】
本発明にあっては、表示装置に表示された書誌情報又は曲内容情報のうち、一部又は全部が選択され、選択情報として外部の検索サーバ装置に送信される。外部の検索サーバ装置により、選択情報に関連する関連情報が検索されて情報処理装置に送信される。情報処理装置は、送られてきた関連情報を電子書籍データの送信元である携帯端末装置に送信して携帯端末装置に関連情報を受信させる。
【００１４】
本発明に係る情報処理装置は、複数の電子メールアドレスを記憶した電子メールアドレス記憶手段を備え、前記関連情報送信手段は、前記電子メールアドレス記憶手段が記憶した前記複数の電子メールアドレスのうち、選択された電子メールアドレスへ前記関連情報を送信するよう構成してあることを特徴とする。
【００１５】
本発明にあっては、予め登録された複数の電子メールアドレスのうち、選択された電子メールアドレスへ関連情報が送信される。
【００１６】
本発明に係る情報処理装置は、前記選択情報に関連する商品の購入を受付ける購入受付手段と、該購入受付手段が受付けた商品に関する購入情報を外部の代金決済装置に送信する購入情報送信手段とを備えることを特徴とする。
【００１７】
本発明にあっては、曲内容情報から選択された情報に関連する商品の購入を受付けた場合、当該商品の購入情報が外部の代金決済処理装置に送信されて購入が行われる。
【００１８】
本発明に係る情報処理装置は、前記関連情報受信手段は、前記選択情報に関連する商品情報を受信するよう構成してあり、前記購入受付手段は、前記商品情報に基づいて商品の購入を受付けるよう構成してあることを特徴とする。
【００１９】
本発明にあっては、曲内容情報から選択された情報に関連する商品情報が外部の物品販売サーバ装置から送られてきて受信される。受信した商品情報に基づいて商品の購入を受付けた場合、受付けた商品の購入情報が外部の代金決済処理装置に送信されて商品の購入が行われる。
【００２０】
本発明に係る情報処理装置は、前記音声信号出力手段は、前記曲データ受信手段が１つの曲データを受信した場合、前記１つの曲データを繰り返し音声信号に変換して出力し、複数の曲データを受信した場合、前記複数の曲データから選択した１つの曲データを繰り返し音声信号に変換して出力するよう構成してあることを特徴とする。
【００２１】
本発明にあっては、１つの曲データが受信された場合、電子書籍の閲覧が終了されるまで１つの曲データが繰り返し再生される。また、複数の曲データが受信された場合、複数の曲データから選択した１つの曲データが繰り返し再生される。
【００２２】
本発明に係る情報処理装置は、前記曲内容情報は、対応する楽曲の年代情報が含まれており、前記音声信号出力手段は、前記曲データ受信手段が複数の曲データを受信した場合、前記年代情報に基づいて順番を決定し、決定した順番に従って前記複数の曲データ夫々を音声信号に変換して出力するよう構成してあることを特徴とする。
【００２３】
本発明にあっては、複数の曲データが受信された場合、対応する楽曲の年代情報に基づいて、電子書籍が閲覧されている期間に再生する順番が決定される。
【００２４】
本発明に係る曲配信装置は、複数の曲データが格納された曲データベースと、電子書籍データに対応した曲データの要求を受信する要求受信手段と、前記要求に応じて前記曲データを配信する曲データ配信手段とを備えた曲配信装置において、前記複数の曲データ夫々は、曲内容情報を含んでおり、前記要求は、前記電子書籍データに含まれる書誌情報からなり、前記曲データ配信手段は、前記書誌情報に関連する曲内容情報を検索し、該曲内容情報を含む曲データを前記曲データベースから読み出して前記要求の要求元に配信するよう構成してあることを特徴とする。
【００２５】
本発明にあっては、曲データの要求を受信した場合、要求に含まれる書誌情報と関連する曲内容情報が検索され、検索された曲内容情報を含む曲データが要求元に配信される。
【００２６】
本発明に係る曲配信装置は、前記曲データ配信手段は、前記曲データベースから１つの曲データを読み出した場合、前記１つの曲データを繰り返して配信し、前記曲データベースから複数の曲データを読み出した場合、前記複数の曲データから選択した１つの曲データを繰り返し配信するよう構成してあることを特徴とする。
【００２７】
本発明にあっては、書誌情報に関連する１つの曲内容情報が検索された場合、当該曲内容情報を含む１つの曲データが要求元に繰り返し配信される。書誌情報に関連する複数の曲内容情報が検索された場合、当該曲内容情報を含む複数の曲データから選択された１つの曲データが要求元に繰り返し配信される。
【００２８】
本発明に係る曲配信装置は、前記曲内容情報は、対応する楽曲の年代情報を含んでおり、前記曲データ配信手段は、前記曲データベースから複数の曲データを読み出した場合、前記年代情報に基づいて順番を決定し、決定した順番に従って前記曲データ夫々を配信するよう構成してあることを特徴とする。
【００２９】
本発明にあっては、複数の曲データが配信される場合、対応する楽曲の年代情報に基づいて、配信の順番が決定されて配信される。
【００３０】
本発明に係る電子書籍表示システムは、電子書籍データを受信し画像信号に変換して出力する情報処理装置と、該情報処理装置が出力した前記画像信号を表示する表示装置とを備える電子書籍表示システムにおいて、複数の曲データを格納した曲データベースから曲データを読出して配信する曲配信装置を備え、前記情報処理装置は、前記電子書籍データに含まれる書誌情報を前記曲配信装置に送信する書誌情報送信手段を備え、前記曲配信装置は、前記書誌情報を受信し、該書誌情報に対応する曲データを前記曲データベースから読出して前記情報処理装置に配信する曲データ配信手段を備え、前記情報処理装置は、前記曲配信装置から配信されてきた前記曲データを受信する曲データ受信手段と、該曲データ受信手段が受信した前記曲データを音声信号に変換して出力する音声信号出力手段を更に備え、前記表示装置は、前記音声信号出力手段が出力する前記音声信号を再生するよう構成してあることを特徴とする。
【００３１】
本発明にあっては、携帯端末装置から送られてきた電子書籍データが情報処理装置により受信され、電子書籍データから抽出された書誌情報が曲配信装置に送信される。曲配信装置は、情報処理装置から送られてきた書誌情報を受信し、書誌情報に対応する曲データを曲データベースから読み出して情報処理装置に配信する。情報処理装置は、電子書籍データ及び曲データ夫々を画像信号及び音声信号に変換して表示装置に出力する。表示装置は、情報処理装置から与えられる画像信号及び音声信号夫々を表示及び再生する。
【００３２】
本発明に係るコンピュータプログラムは、記憶部に記憶してあり、書誌情報を含む電子書籍データを画像信号に変換するためのコンピュータプログラムにおいて、コンピュータに、前記書誌情報に関連する曲データを取得する曲データ取得ステップと、前記電子書籍データ及び前記曲データ夫々を画像信号及び音声信号に変換する変換ステップとを実行させることを特徴とする。
【００３３】
本発明にあっては、書誌情報に関連する曲データが取得され、電子書籍データ及び曲データ夫々が画像信号及び音声信号に変換される。
【発明の効果】
【００３４】
本発明にあっては、書誌情報に関連する曲データを受信する曲データ受信手段を備えることにより、電子書籍データに対応する曲データの再生を行って臨場感のある電子書籍の閲覧が可能となる。また、本発明にあっては、書誌情報に関連する曲データを配信する曲データ配信手段を備えることにより、電子書籍データに対応した曲データの配信が可能となる。
【００３５】
また、本発明にあっては、曲データに関連する関連情報を取得する関連情報受信手段を備えることにより、関連情報の表示装置への表示及び携帯端末装置への送信が可能となる。また、本発明にあっては、曲データに関連する商品の購入を受付ける購入受付手段と、受付けた商品に関する購入情報を外部の代金決済装置に送信する購入情報送信手段とを備えることにより、商品の購入機会を創出することが可能となる。
【発明を実施するための最良の形態】
【００３６】
実施の形態１
以下、本発明をその実施の形態を示す図面を参照して具体的に説明する。図１は、実施の形態１に係る電子書籍表示システムのネットワーク構成を示す模式図である。図１中１は、情報処理装置を示しており、ケーブルを介して画像信号及び音声信号を表示装置２に出力し、表示するようにしてある。また、情報処理装置１は、電子書籍データを記憶してある携帯端末装置３及び情報処理装置１を遠隔操作するための遠隔操作装置１０が赤外線又は無線通信波による通信を可能に接続してある。さらに情報処理装置１は、インターネット等からなるネットワーク網Ｎを介して曲データを配信する曲配信サーバ装置（曲配信装置）４と、電子書籍データに含まれる書誌情報又は曲データに含まれる曲内容情報に関連する関連情報を検索するための検索サーバ装置５とが接続してある。
【００３７】
図２は、実施の形態１に係る情報処理装置１、携帯端末装置３及び遠隔操作装置１０の内部構成を示すブロック図である。情報処理装置１は、携帯端末装置３から電子書籍データ及び操作信号を受信し、また携帯端末装置３に関連情報を送信する携帯端末通信部（電子書籍データ受信手段、操作信号受信手段及び関連情報送信手段）１７と、ネットワーク網Ｎに接続して書誌情報の送信及び曲データの受信を行うネットワーク通信部（書誌情報送信手段及び曲データ受信手段）１８と、遠隔操作装置１０が送信する遠隔操作信号を受信する遠隔操作信号受信部（操作受付部）１９とを備えている。また、遠隔操作信号受信部１９は、表示装置２に表示された書誌情報及び曲内容情報から一部又は全部を選択する操作信号を遠隔操作装置１０から受信することにより、選択情報を受付ける選択情報受付手段としても機能するようにしてある。
【００３８】
情報処理装置１は、電子書籍データ及び曲データを画像信号及び音声信号夫々に変換して出力する画像信号出力部１５及び音声信号出力部１６と、画像信号及び音声信号夫々を表示装置２に出力する画像信号出力端子２３及び音声信号出力端子２２とを備える。音声信号出力部１６及び音声信号出力端子２２には、ミキサアンプ２１が介装されており、ミキサアンプ２１には、マイク信号入力端子２０を介してマイクロフォン２０１が接続されている。ミキサアンプ２１は、音声信号出力部１６から与えられており、例えばカラオケの伴奏曲等の音声信号と、マイクロフォン２０１から入力される音声信号、例えばカラオケ曲の伴奏曲に応じたユーザの歌声が変換されて得た音声信号とをミキシングして音声信号出力端子２２を介し、表示装置２に出力可能にしてある。これにより情報処理装置１は、電子書籍データの閲覧機能とは別にカラオケ機能も実現可能にしてある。
【００３９】
また、情報処理装置１は、複数の電子メールアドレスを記憶した電子メールアドレスデータベース（電子メールアドレス記憶手段）１４を備える。電子メールアドレスデータベース１４は、携帯端末装置３が受信可能な電子メールアドレスと、複数の送信先の名称夫々に関連付けられた複数の電子メールアドレスとを記憶してある。電子メールアドレスデータベース１４は、遠隔操作装置１０を介して電子メールアドレスの登録操作を受付けた場合、係る電子メールアドレスを送信先の名称と共に記憶するようにしてある。
【００４０】
さらに情報処理装置１は、バス１１ａを介し情報処理装置１内部のハードウェア各部を制御するための制御部であるＣＰＵ（ Central Processing Unit ）１１と、ＣＰＵ１１が実行するプログラム等を記憶してあるＲＯＭ（ Read-Only Memory ）１２と、ＣＰＵ１１がプログラムを実行する際に生じる変数等を記憶するＲＡＭ（ Random-Access Memory ）１３とを備える。ＣＰＵ１１は、電子書籍データを閲覧する閲覧画面を生成し画像信号出力部１５により画像信号に変換して出力させるようにしてある。また、ＣＰＵ１１は曲データを再生し音声信号出力部１６により音声信号に変換して出力させるようにしてある。
【００４１】
携帯端末装置３は、情報処理装置１に電子書籍データ及び操作信号を送信し、また電子メールを受信するための通信部３７と、ユーザによる操作を受付ける複数のキー等からなる操作受付部３９と、各種情報を表示する液晶パネル等からなる表示部３５と、音声を出力するスピーカ等からなる音声出力部３６とを備える。また、携帯端末装置３は、電子書籍データを記憶してある記憶部３８と、バス３１ａを介し携帯端末装置３の内部のハードウェア各部を制御するための制御部であるＣＰＵ３１と、ＣＰＵ３１が実行するプログラム等を記憶してあるＲＯＭ３２と、ＣＰＵ３１がプログラムを実行する際に生じる変数等を記憶するＲＡＭ３３とを備える。
【００４２】
また、携帯端末装置３は、通信部３７を介し、記憶部３８に記憶してある電子書籍データ及び操作受付部３９が受付けた操作に応じた操作信号を情報処理装置１に送信するようにしてある。電子書籍データは、漫画及び小説等を電子化した画像データ及びテキストデータと、書誌情報とからなり、携帯端末装置３が外部の図示しない電子書籍データ配信装置等から通信部３７を介して受信し記憶部３８に記憶するようにしてある。また、書誌情報は、書籍名、作者名、出版社名、発行日、ジャンル情報及び解説等の複数項目からなる。ジャンル情報は、電子書籍の属するジャンルを示しており、例えば、アクション、コメディ、ラブストーリー及びミステリ等である。遠隔操作装置１０は、ユーザによる遠隔操作を受付ける操作受付部１０１と、受付けた遠隔操作に対応する遠隔操作信号を情報処理装置１に送信する遠隔操作信号送信部１０２とを備える。
【００４３】
図３は、実施の形態１に係る曲配信サーバ装置４の内部構成を示すブロック図である。曲配信サーバ装置４は、ネットワーク網Ｎに接続して情報処理装置１から送られてくる曲データの要求を受信し、要求に応じて曲データを配信するネットワーク通信部（要求受信手段及び曲データ配信手段）４５と、複数の曲データを格納した曲データベース４４とを備える。曲データベース４４は、曲内容情報を夫々含む複数の曲データを格納するようにしてある。曲内容情報は、曲データの曲名及び歌手名と、対応する楽曲の年代情報と、主題歌又は挿入歌として採用された映画、アニメ及びドラマに関するメディア情報とを含んでいる。楽曲の年代情報は、曲が作成された年代、曲が発売された年月日、曲の売上げが最も多かった年代、売上げランキングにおいて最も上位を示した年代及びカラオケ曲の人気ランキングにおいて最も上位を示した年代等を示す情報からなる。また、曲内容情報は、予め曲データ夫々に対して設定された書籍名を含んでいる。４は、バス４１ａを介し曲配信サーバ装置４内部のハードウェア各部を制御するための制御部であるＣＰＵ４１と、ＣＰＵ４１が実行するプログラム等を記憶してあるＲＯＭ４２と、ＣＰＵ４１がプログラムを実行する際に生じる変数等を記憶するＲＡＭ４３とを備える。
【００４４】
図４は、実施の形態１に係る待受け画面の例を示す模式図である。情報処理装置１は、遠隔操作装置１０から受信モードの設定を指示する操作が送信されてきた場合、電子書籍データを受信する受信モードに設定して待受け画面を表示装置２に表示する。図４に示す例では、受信モードに設定されて携帯端末装置３から送信される電子書籍データを待受ける画面であることを示すタイトル「電子書籍データ待受け画面」と共に、ユーザに携帯端末装置３を操作して記憶部３８に記憶されている電子書籍データを送信するよう促すメッセージ「電子書籍データを送信してください・・・・」が表示されている。情報処理装置１は、携帯端末装置３から送られてきた電子書籍データの受信を完了した場合、電子書籍データを表示装置２に表示する処理を開始する。
【００４５】
情報処理装置１は、受信した電子書籍データから書誌情報を抽出する。情報処理装置１は、書誌情報を曲配信サーバ装置４に送信して曲データを要求する。曲配信サーバ装置４は、受信した書誌情報の一部をなす書籍名を含む曲内容情報を書誌情報に関連する曲内容情報として曲データベース４４から検索する。曲内容情報を検索する場合、予め曲データ夫々に対して設定された書籍名に限るものではなく、曲内容情報のメディア情報に含まれており、映画、アニメ及びドラマの原作となる書籍名についても検索される。
【００４６】
曲配信サーバ装置４は、検索した曲内容情報が１つである場合、当該曲内容情報を含む１つの曲データを繰り返して配信するよう設定する。また、曲配信サーバ装置４は、検索した曲内容情報が複数である場合、当該曲内容情報を含む複数の曲データの配信順番を曲内容情報に含まれる年代情報に基づいて決定する。また、複数の曲データから選択した１つの曲データを繰り返して配信してもよい。配信順番は、例えば曲が作成された年代又は発表された年月日の古い曲データから新しい曲データとなるよう決定するとよい。また、曲の売上げが最も多かった年代順、売上げランキングにおいて最も上位を示した年代順及びカラオケ曲の人気ランキングにおいて最も上位を示した年代順に配信順番を決定してもよい。曲配信サーバ装置４は、曲データを曲データベース４４から読み出して情報処理装置１に対してストリーミング送信による配信を開始する。
【００４７】
情報処理装置１は、配信が開始された曲データの受信を開始する。情報処理装置１は、受信した曲データから曲内容情報を抽出する。情報処理装置１は、電子書籍データの第１ページ及び曲内容情報を含む閲覧画面を生成する。情報処理装置１は、閲覧画面を画像信号に変換して画像信号出力部１５から表示装置２に出力し、表示を開始する。また、情報処理装置１は、受信を開始した曲データを音声信号に変換して音声信号出力端子２２から表示装置２に出力することにより、配信が開始された曲データのストリーミング再生を開始する。
【００４８】
図５は、実施の形態１に係る閲覧画面の例を示す模式図である。図５に示す例では、書誌情報の一部をなす書籍名「Ａの詩」を映画の原作として含む曲内容情報が検索結果として取得され、検索結果の曲内容情報を含む曲データが配信されて電子書籍データの１ページ目となる漫画と、書誌情報及び曲内容情報とが閲覧画面に表示されている。また、書誌情報及び曲内容情報に示された各項目を選択するための矢印からなるカーソルキーが表示されている。書誌情報として、書籍名「Ａの詩」、ジャンル情報「コメディ」、作者名「山田Ａ郎」、出版社「Ｂ出版社」及び発行日「２００８年７月２４日」からなる複数の項目が表示されている。
【００４９】
また、曲内容情報として曲データの曲名「Ａの詩」、歌手名「田中Ａ子」、当該曲が主題歌として採用された映画の原作名「Ａの詩」と、当該映画の出演者名「田中Ｃ夫、山本Ａ子」、当該映画の主題歌の曲名「Ａの詩」、主題歌の歌手名「田中Ａ子」、当該映画の挿入歌の曲名「Ｃの朝」及び挿入歌の歌手名「田中Ａ子」夫々からなる複数の項目が表示されている。情報処理装置１は、ユーザにより携帯端末装置３の操作受付部３９に備えられたカーソルキー等が操作された場合、閲覧画面に表示される電子書籍データのページを前後のページに変更する。
【００５０】
例えば、携帯端末装置３の操作受付部３９に備えられた左カーソルキーが押下されてページを戻す操作であるページ戻り操作が行われた場合、情報処理装置１は、表示装置２に表示している電子書籍データのページを１ページ分戻して表示する。また、例えば、携帯端末装置３の操作受付部３９に備えられた右カーソルキーが押下されてページを進める操作であるページ送り操作が行われた場合、情報処理装置１は、表示装置２に表示している電子書籍データのページを１ページ分進めて表示する。これにより、ユーザは、再生される曲データを聴取すると共に携帯端末装置３を操作して閲覧画面に表示された電子書籍データを閲覧可能にしてある。
【００５１】
図６は、実施の形態１に係る閲覧画面の他の例を示す模式図である。図６に示す例では、電子書籍データの２ページ目となる漫画と、書誌情報及び曲内容情報とが閲覧画面に表示されている。また、電子書籍データの一部分である漫画の吹出し「実は宝くじが当たったんだ！」が臨場感を与えるべく拡大されて表示されている。ページ送り操作及びページ戻り操作によるページの変更は、電子書籍データの規格により規定されているページ番号に従う場合に限るものではなく、１ページを情報処理装置１により複数ページに分割し、分割して得たページに基づいて変更してもよい。例えば、電子書籍データの規格における１ページが複数のコマを有する漫画からなる場合、複数のコマを複数のグループに分類し、各グループに割り当てたページを変更してもよい。
【００５２】
情報処理装置１は、ユーザが遠隔操作装置１０の操作受付部１０１を操作して選択画面に表示されたカーソルにより書誌情報及び曲内容情報に表示された複数の項目のうち、１つの項目を選択した場合、選択された項目からなる選択情報を検索サーバ装置５に送信する。検索サーバ装置５は、送られてきた選択情報に関連する関連情報を検索し、情報処理装置１に送信する。例えば、図５に示すように「歌手名：田中Ａ子」が選択されて選択情報が送信された場合、田中Ａ子の歌手名を有する歌手が発表している他の曲の曲名及び歌手の公式サイトのＵＲＬ（ Uniform Resource Locator ）等からなる関連情報が検索サーバ装置５により検索される。情報処理装置１は、検索サーバ装置５が送信した関連情報を受信し、閲覧画面の表示を中断して送信画面の表示を開始する。
【００５３】
図７は、実施の形態１に係る送信画面の例を示す模式図である。図７に示す例では、タイトル「送信画面」と、電子メールアドレスデータベース１４に登録されているメールアドレスの送信先の名称である「お父さん」、「お母さん」、「お兄ちゃん」、「お姉ちゃん」及び「友達」と、送信先を選択するためのチェックボックスと、送信ボタンと、終了ボタンとが表示されている。各受信者の右隣に設けられたチェックボックスにカーソルを移動させて選択することにより、送信先が選択される。
【００５４】
図７に示す例では、送信先の名称「お母さん」、「お兄ちゃん」及び「友達」が送信先として選択されている。送信ボタンがクリックされた場合、選択された送信先の電子メールアドレス及び携帯端末装置３が受信可能な電子メールアドレスが電子メールアドレスデータベース１４から読み出される。読み出された電子メールアドレス夫々から、電子メールアドレスの属性が取得される。電子メールアドレスの属性は、例えばＰＣ（ Personal Computer ）等により受信される電子メールアドレスであるか否か、携帯電話等により受信される電子メールアドレスであるか否か、及び携帯電話で受信される場合、携帯電話のサービスを提供する会社、すなわちキャリアの名称を示す情報からなる。情報処理装置１は、電子メールアドレス夫々の属性に基づいて関連情報を再構成し、各電子メールアドレスに送信する。
【００５５】
例えば、電子メールアドレスの属性がＰＣ又は携帯電話により受信される電子メールアドレスであることを示している場合、ＰＣ又は携帯電話夫々で閲覧可能なＵＲＬ情報のみからなる関連情報を再構成するとよい。また、例えば、電子メールアドレスの属性が携帯電話のキャリアの名称を示す場合、当該キャリアにより提供されているウェブサイトのＵＲＬ情報のみからなる関連情報を再構成してもよい。これにより、電子書籍データの送信元である携帯端末装置３を含む複数の送信先に関連情報が送信される。また、関連情報の送信が完了した場合又は終了ボタンが選択された場合、送信画面の表示が停止されて閲覧画面の表示が再開される。
【００５６】
図８、図９及び図１０は、実施の形態１に係る携帯端末装置３、情報処理装置１及び曲配信サーバ装置４で実行される閲覧表示処理の手順を示すフローチャートである。閲覧表示処理は、情報処理装置１が受信モードへの設定を指示する操作信号を受信した場合に実行される。情報処理装置１のＣＰＵ１１は、電子書籍データを受信する受信モードに設定し（ステップＳ１）、待受け画面を表示する（ステップＳ２）。携帯端末装置３のＣＰＵ３１は、電子書籍データの送信操作を受付けたか否かを判定する（ステップＳ３）。ＣＰＵ３１は、送信操作を受付けていないと判定した場合（ステップＳ３でＮＯ）、送信操作を受付けるまで待機する。ＣＰＵ３１は、送信操作を受付けたと判定した場合（ステップＳ３でＹＥＳ）、情報処理装置１に電子書籍データを送信する（ステップＳ４）。
【００５７】
情報処理装置１のＣＰＵ１１は、携帯端末装置３から送信されてきた電子書籍データを受信する（ステップＳ５）。ＣＰＵ１１は、電子書籍デ―タから書誌情報を抽出する（ステップＳ６）。ＣＰＵ１１は、書誌情報を曲配信サーバ装置４に送信する（ステップＳ７）。曲配信サーバ装置４のＣＰＵ４１は、送られてきた書誌情報を受信する（ステップＳ８）。ＣＰＵ４１は、書誌情報に関連する曲内容情報を検索する（ステップＳ９）。ＣＰＵ４１は、検索結果が複数であるか否かを判定する（ステップＳ１０）。ＣＰＵ４１は、検索結果が複数であると判定した場合(ステップＳ１０でＹＥＳ)、曲データの配信順番を決定し（ステップＳ１２）、検索した曲内容情報を含む曲データの配信を開始する（ステップＳ１３）。
【００５８】
ＣＰＵ４１は、検索結果が複数でないと判定した場合(ステップＳ１０でＮＯ)、曲データの繰り返し配信を設定し（ステップＳ１１）、検索した曲内容情報を含む曲データの配信を開始するステップＳ１３に処理を移す。情報処理装置１のＣＰＵ１１は、配信が開始された曲データの受信を開始する（ステップＳ１４）。ＣＰＵ１１は、曲データから曲内容情報を抽出する（ステップＳ１５）。ＣＰＵ１１は、受信した電子書籍データの第１ページを読み出す（ステップＳ１６）。ＣＰＵ１１は、閲覧画面を生成し（ステップＳ１７）、閲覧画面を画像信号に変換して表示装置２に出力開始させる（ステップＳ１８）。ＣＰＵ１１は、曲データを音声信号に変換して表示装置２に出力開始させる（ステップＳ１９）。
【００５９】
携帯端末装置３のＣＰＵ３１は、操作受付部３９が操作を受付けたか否かを判定する（ステップＳ２０）。ＣＰＵ３１は、操作を受付けていないと判定した場合（ステップＳ２０でＮＯ）、操作を受付けるまで待機する。ＣＰＵ３１は、操作を受付けたと判定した場合（ステップＳ２０でＹＥＳ）、操作信号を情報処理装置１に送信する（ステップＳ２１）。ＣＰＵ３１は、受付けた操作が閲覧終了操作であるか否かを判定する（ステップＳ３２）。ＣＰＵ３１は、受付けた操作が閲覧終了操作でないと判定した場合（ステップＳ３２でＮＯ）、操作受付部３９が操作を受付けたか否かを判定するステップＳ２０に処理を戻す。
【００６０】
ＣＰＵ３１は、受付けた操作が閲覧終了操作であると判定した場合（ステップＳ３２でＹＥＳ）、閲覧表示処理を終了する。情報処理装置１のＣＰＵ１１は、携帯端末装置３から送られてきた操作信号を受信する（ステップＳ２２）。ＣＰＵ１１は、操作信号に基づいて電子書籍データを閲覧操作する後述の閲覧操作処理を実行する（ステップＳ２３）。ＣＰＵ１１は、受信した操作信号が選択操作であるか否かを判定する（ステップＳ２４）。ＣＰＵ１１は、選択操作であると判定した場合（ステップＳ２４でＹＥＳ）、後述の選択操作処理を実行する（ステップＳ２５）。ＣＰＵ１１は、受信した操作信号が閲覧終了操作であるか否かを判定する（ステップＳ２６）。
【００６１】
ＣＰＵ１１は、受信した操作信号が選択操作であるか否かを判定するステップＳ２４において選択操作でないと判定した場合（ステップＳ２４でＮＯ）、閲覧終了操作であるか否かを判定するステップＳ２６に処理を移す。ＣＰＵ１１は、閲覧終了操作であるか否かを判定するステップＳ２６において閲覧終了操作でないと判定した場合（ステップＳ２６でＮＯ）、携帯端末装置３から送られてきた操作信号を受信するステップＳ２２に処理を戻す。ＣＰＵ１１は、閲覧終了操作であると判定した場合（ステップＳ２６でＹＥＳ）、音声信号の出力を停止して（ステップＳ２７）、配信停止要求を曲配信サーバ装置４に送信する（ステップＳ２８）。曲配信サーバ装置４のＣＰＵ４１は、情報処理装置１から送られてきた配信停止要求を受信して（ステップＳ２９）、曲データの配信を停止し（ステップＳ３０）、閲覧表示処理を終了する。情報処理装置１のＣＰＵ１１は、閲覧画面の画像信号の出力を停止して（ステップＳ３１）、閲覧表示処理を終了する。
【００６２】
図１１は、実施の形態１に係る閲覧操作処理の手順を示すフローチャートである。ＣＰＵ１１は、受信した操作信号がページ戻り操作を示しているか否かを判定する（ステップＳ４１）。ＣＰＵ１１は、操作信号がページ戻り操作を示していると判定した場合（ステップＳ４１でＹＥＳ）、閲覧画面に表示されている電子書籍データが先頭ページであるか否かを判定する（ステップＳ４２）。ＣＰＵ１１は、先頭ページであると判定した場合（ステップＳ４２でＹＥＳ）、閲覧操作処理を終了する。ＣＰＵ１１は、先頭ページでないと判定した場合（ステップＳ４２でＮＯ）、電子書籍データのうち、前ページの電子書籍データを読み出し（ステップＳ４３）、読み出した電子書籍データを用いて閲覧画面を生成する（ステップＳ４４）。ＣＰＵ１１は、閲覧画面を画像信号に変換して表示装置２に出力開始し（ステップＳ４５）、閲覧操作処理を終了する。
【００６３】
ＣＰＵ１１は、受信した操作信号がページ戻り操作を示しているか否かを判定するステップＳ４１において、ページ戻り操作でないと判定した場合（ステップＳ４１でＮＯ）、受信した操作信号がページ送り操作であるか否かを判定する（ステップＳ４６）。ＣＰＵ１１は、ページ送り操作でないと判定した場合（ステップＳ４６でＮＯ）、閲覧操作処理を終了する。ＣＰＵ１１は、ページ送り操作であると判定した場合（ステップＳ４６でＹＥＳ）、閲覧画面に表示されている電子書籍データが最終ページであるか否かを判定する（ステップＳ４７）。ＣＰＵ１１は、最終ページであると判定した場合（ステップＳ４７でＹＥＳ）、閲覧操作処理を終了する。ＣＰＵ１１は、最終ページでないと判定した場合（ステップＳ４７でＮＯ）、次ページの電子書籍データを読み出し（ステップＳ４８）、読み出した電子書籍データを用いて閲覧画面を生成するステップＳ４４に処理を移す。
【００６４】
図１２は、実施の形態１に係る選択操作処理の手順を示すフローチャートである。情報処理装置１のＣＰＵ１１は、選択操作により選択された項目からなる選択情報を検索サーバ装置５に送信する（ステップＳ５１）。検索サーバ装置５は、情報処理装置１から送られてきた選択情報を受信する（ステップＳ５２）。検索サーバ装置５は、選択情報に関連する関連情報を検索する（ステップＳ５３）。検索サーバ装置５は、検索した関連情報を情報処理装置１に送信し（ステップＳ５４）、処理を終了する。情報処理装置１のＣＰＵ１１は、検索サーバ装置５から与えられる関連情報を受信する（ステップＳ５５）。ＣＰＵ１１は、出力している閲覧画面の画像信号を送信画面の画像信号へ切り替える（ステップＳ５６）。
【００６５】
ＣＰＵ１１は、終了ソフトウェアボタンが選択されたか否かを判定する（ステップＳ５７）。ＣＰＵ１１は、終了ソフトウェアボタンが選択されていないと判定した場合（ステップＳ５７でＮＯ）、送信ソフトウェアボタンが選択されたか否かを判定する（ステップＳ５８）。ＣＰＵ１１は、送信ソフトウェアボタンが選択されていないと判定した場合（ステップＳ５８でＮＯ）、終了ソフトウェアボタンが選択されたか否かを判定するステップＳ５７に処理を戻す。
【００６６】
ＣＰＵ１１は、送信ソフトウェアボタンが選択されたと判定した場合（ステップＳ５８でＹＥＳ）、後述の関連情報送信処理を実行する（ステップＳ５９）。ＣＰＵ１１は、出力している送信画面の画像信号から閲覧画面の画像信号に切り替えて（ステップＳ６０）、閲覧選択操作処理を終了する。また、ＣＰＵ１１は、終了ソフトウェアボタンが選択されたか否かを判定するステップＳ５７において、終了ソフトウェアボタンが選択されたと判定した場合（ステップＳ５７でＹＥＳ）、閲覧画面の画像信号に切り替えるステップＳ６０に処理を移して選択操作処理を終了する。
【００６７】
図１３は、実施の形態１に係る関連情報送信処理の手順を示すフローチャートである。ＣＰＵ１１は、電子メールアドレスデータベース１４から選択された先頭の送信先の電子メールアドレス及び携帯端末装置３が受信可能な電子メールアドレスを読み出す（ステップＳ７１）。ＣＰＵ１１は、読み出した電子メールアドレスの属性を取得し(ステップＳ７２)、取得した属性に基づいて関連情報を再構成する（ステップＳ７３）。ＣＰＵ１１は、再構成した関連情報を電子メール送信する（ステップＳ７４）。
【００６８】
ＣＰＵ１１は、選択された全送信先に送信済みであるか否かを判定する（ステップＳ７５）。ＣＰＵ１１は、全送信先に送信済みでないと判定した場合(ステップＳ７５でＮＯ)、次の送信先の電子メールアドレスを読出して(ステップＳ７６)、電子メールアドレスの属性を取得するステップＳ７２に処理を戻す。ＣＰＵ１１は、全送信先に送信済みであると判定した場合(ステップＳ７５でＹＥＳ)、関連情報送信処理を終了する。
【００６９】
曲配信サーバ装置４が曲内容情報を検索する場合、書誌情報の一部をなす書籍名を含む曲内容情報が検索される場合を示したが、これに限るものではなく書誌情報の一部をなすジャンル情報を含む曲内容情報を検索してもよい。この場合、例えば、曲データ夫々の曲調に適した電子書籍のジャンルを予め決定し、曲内容情報にジャンル情報として追加しておくとよい。また、閲覧画面に書誌情報及び曲内容情報全てを表示する場合を示したが、これに限るものではなく、書誌情報及び閲覧情報夫々の一部を表示するようにしてもよい。また、閲覧画面に書誌情報又は曲内容情報を表示するようにしてもよい。この場合、関連情報は、書誌情報又は曲内容情報から選択された選択情報と関連する関連情報が取得される。
【００７０】
携帯端末装置３から送られてきた操作信号に基づいて電子書籍データの閲覧操作をする場合を示したが、これに限るものではなく遠隔操作装置１０を介して情報処理装置１が受付けた操作信号に基づいてもよい。情報処理装置１で実行される関連情報送信処理において電子メールアドレスの属性に基づいて再構成した関連情報を電子メール送信する場合を示したが、これに限るものではなく再構成せずに関連情報を外部のメールサーバに電子メール送信してもよい。この場合、図示しないメールサーバが電子メールアドレスの属性に基づいて関連情報を再構成し、再構成した関連情報を各電子メールアドレスに送信するとよい。
【００７１】
実施の形態２
図１４、図１５及び図１６は、実施の形態２に係る携帯端末装置３、情報処理装置１及び曲配信サーバ装置４で実行される閲覧表示処理の手順を示すフローチャートである。本実施の形態２は、実施の形態１の情報処理装置１が曲配信サーバ装置４から配信された曲データをストリーミング再生するのに対し、曲配信サーバ装置４から送信された曲データ全てを受信した後に再生するように構成してある。情報処理装置１のＣＰＵ１１は、電子書籍データを受信する受信モードに設定し（ステップＳ８１）、待受け画面を表示する（ステップＳ８２）。携帯端末装置３のＣＰＵ３１は、電子書籍データの送信操作を受付けたか否かを判定する（ステップＳ８３）。ＣＰＵ３１は、送信操作を受付けていないと判定した場合（ステップＳ８３でＮＯ）、送信操作を受付けるまで待機する。ＣＰＵ３１は、送信操作を受付けたと判定した場合（ステップＳ８３でＹＥＳ）、情報処理装置１に電子書籍データを送信する（ステップＳ８４）。
【００７２】
情報処理装置１のＣＰＵ１１は、携帯端末装置３から送信されてきた電子書籍データを受信する（ステップＳ８５）。ＣＰＵ１１は、電子書籍デ―タから書誌情報を抽出する（ステップＳ８６）。ＣＰＵ１１は、書誌情報を曲配信サーバ装置４に送信する（ステップＳ８７）。曲配信サーバ装置４のＣＰＵ４１は、送られてきた書誌情報を受信する（ステップＳ８８）。ＣＰＵ４１は、書誌情報に関連する曲内容情報を検索する（ステップＳ８９）。ＣＰＵ４１は、検索した曲内容情報を含む曲データを配信する（ステップＳ９０）。
【００７３】
情報処理装置１のＣＰＵ１１は、配信された曲データを受信する（ステップＳ９１）。ＣＰＵ１１は、曲データから曲内容情報を抽出する（ステップＳ９２）。ＣＰＵ１１は、受信した曲データが複数であるか否かを判定する（ステップＳ９３）。ＣＰＵ１１は、曲データが複数であると判定した場合(ステップＳ９３でＹＥＳ)、曲データの出力順番を決定し（ステップＳ９５）、受信した電子書籍データの第１ページを読み出す（ステップＳ９６）。ＣＰＵ１１は、曲データが複数でないと判定した場合(ステップＳ９３でＮＯ)、曲データの繰り返し出力を設定し（ステップＳ９４）、受信した電子書籍データの第１ページを読み出すステップＳ９６に処理を移す。ＣＰＵ１１は、閲覧画面を生成し（ステップＳ９７）、閲覧画面を画像信号に変換して表示装置２に出力開始させる（ステップＳ９８）。ＣＰＵ１１は、曲データを音声信号に変換して表示装置２に出力開始させる（ステップＳ９９）。
【００７４】
携帯端末装置３のＣＰＵ３１は、操作受付部３９が操作を受付けたか否かを判定する（ステップＳ１００）。ＣＰＵ３１は、操作を受付けていないと判定した場合（ステップＳ１００でＮＯ）、操作を受付けるまで待機する。ＣＰＵ３１は、操作を受付けたと判定した場合（ステップＳ１００でＹＥＳ）、操作信号を情報処理装置１に送信する（ステップＳ１０１）。ＣＰＵ３１は、受付けた操作が閲覧終了操作であるか否かを判定する（ステップＳ１０９）。ＣＰＵ３１は、受付けた操作が閲覧終了操作でないと判定した場合（ステップＳ１０９でＮＯ）、操作受付部３９が操作を受付けたか否かを判定するステップＳ１００に処理を戻す。
【００７５】
ＣＰＵ３１は、受付けた操作が閲覧終了操作であると判定した場合（ステップＳ１０９でＹＥＳ）、閲覧表示処理を終了する。情報処理装置１のＣＰＵ１１は、携帯端末装置３から送られてきた操作信号を受信する（ステップＳ１０２）。ＣＰＵ１１は、操作信号に基づいて閲覧操作処理を実行する（ステップＳ１０３）。ＣＰＵ１１は、受信した操作信号が選択操作であるか否かを判定する（ステップＳ１０４）。ＣＰＵ１１は、選択操作であると判定した場合（ステップＳ１０４でＹＥＳ）、選択操作処理を実行する（ステップＳ１０５）。ＣＰＵ１１は、受信した操作信号が閲覧終了操作であるか否かを判定する（ステップＳ１０６）。
【００７６】
ＣＰＵ１１は、受信した操作信号が選択操作であるか否かを判定するステップＳ１０４において選択操作でないと判定した場合（ステップＳ１０４でＮＯ）、閲覧終了操作であるか否かを判定するステップＳ１０６に処理を移す。ＣＰＵ１１は、閲覧終了操作であるか否かを判定するステップＳ１０６において閲覧終了操作でないと判定した場合（ステップＳ１０６でＮＯ）、携帯端末装置３から送られてきた操作信号を受信するステップＳ１０２に処理を戻す。ＣＰＵ１１は、閲覧終了操作であると判定した場合（ステップＳ１０６でＹＥＳ）、音声信号の出力を停止し（ステップＳ１０７）、閲覧画面の画像信号の出力を停止して（ステップＳ１０８）、閲覧表示処理を終了する。
【００７７】
本実施の形態２は以上の如き構成としてあり、その他の構成及び作用は実施の形態１と同様であるので対応する部分には同一の符号及び処理名を付してその詳細な説明を省略する。
【００７８】
実施の形態３
図１７は、実施の形態３に係る電子書籍表示システムのネットワーク構成を示す模式図である。実施の形態３は、実施の形態１に示すネットワーク網Ｎに物品販売サーバ装置が接続されて情報処理装置１が再生する電子書籍データ及び曲データに関連する商品等を購入可能に構成してある。図１７中６は、ネットワーク網Ｎに接続された複数の物品販売サーバ装置（代金決済装置）を示しており、物品販売サーバ装置６、６、…夫々は、ネットワーク網Ｎ上に商品の購入サービスを提供する物品販売サイトを公開している。物品販売サーバ装置６、６、…夫々は、例えば、電子書籍、曲が録音されたＣＤ（ Compact Disc ）及びＤＶＤ（ Digital Versatile Disc）、情報処理装置１で再生されるカラオケ曲及び携帯端末装置３で再生される着信曲等の購入サービスを提供する。
【００７９】
また、携帯端末装置３の通信部３７は、ネットワーク網Ｎに直接、接続可能にしてある。情報処理装置１の遠隔操作信号受信部１９は、曲データ又は関連情報に関連する商品を選択する操作信号を遠隔操作装置１０から受信することにより、商品の購入を受付ける購入受付手段としても機能する。情報処理装置１のネットワーク通信部１８は、遠隔操作信号受信部１９が商品の購入を受付けた場合、購入に必要なクレジットカードの番号等からなる購入情報を物品販売サーバ装置６、６、…に送信する購入情報送信手段としても機能する。
【００８０】
図１８は、実施の形態３に係る閲覧画面の例を示す模式図である。情報処理装置１は、閲覧画面に表示された書誌情報及び曲内容情報夫々をなす複数項目から１つの項目が選択された場合、選択された項目に応じたサブメニューを表示する。情報処理装置１は、表示されたサブメニューが選択された場合、選択されたサブメニューに予め関連付けられた物品販売サーバ装置６にネットワーク網Ｎを介して接続する。図１８に示す例では、曲内容情報をなす複数項目から、１つの項目である歌手名「田中Ａ子」が選択された後、サブメニュー「１．ＣＤ，ＤＶＤ購入」、「２．カラオケ曲購入」及び「３．着信曲購入」が表示されており、サブメニュー「２．カラオケ曲購入」がさらに選択されている。また、書誌情報をなす複数項目から、１つの項目が選択された場合、サブメニュー「電子書籍購入」が表示される。
【００８１】
情報処理装置１は、サブメニュー「１．ＣＤ，ＤＶＤ購入」又は「電子書籍購入」が選択された場合、ＣＤ及びＤＶＤ又は電子書籍を販売する物品販売サイトをネットワーク網Ｎ上に公開している物品販売サーバ装置６に接続し、選択された項目からなる選択情報を送信する。物品販売サーバ装置６は、選択情報に関連するＣＤ及びＤＶＤ又は電子書籍を検索し、検索した商品を購入するための購入画面を情報処理装置１に送信する。情報処理装置１は、購入画面を受信して表示装置２に表示する。情報処理装置１は、購入画面に表示された商品が選択された場合、選択された商品を購入するための購入情報を当該物品販売サーバ装置６に送信する。物品販売サーバ装置６は、購入情報を受信して代金決済処理を実行し、商品の購入を完了する。
【００８２】
情報処理装置１は、サブメニュー「２．カラオケ曲購入」が選択された場合、情報処理装置１で再生可能なカラオケ用の曲データであるカラオケ曲データを販売する物品販売サーバ装置６に接続し、選択された項目である歌手名を含む購入情報を生成して物品販売サーバ装置６に送信する。物品販売サーバ装置６は、購入情報を受信して代金決済処理を実行し、商品の購入を完了する。次に、選択された歌手名と関連する複数のカラオケ曲から情報処理装置１が選択したカラオケ曲を購入する場合の手順を説明する。
【００８３】
図１９は、実施の形態３に係るカラオケ曲購入画面の例を示す模式図である。情報処理装置１は、サブメニュー「２．カラオケ曲購入」が選択された場合、情報処理装置１で再生可能なカラオケ用の曲データであるカラオケ曲データを販売する物品販売サーバ装置６に接続し、選択された項目である歌手名からなる選択情報を送信する。物品販売サーバ装置６は、選択された歌手名に関連するカラオケ曲を検索し、検索したカラオケ曲のリストを情報処理装置１に送信する。情報処理装置１は、カラオケ曲のリストを受信し、カラオケ曲購入画面を生成して表示装置２に表示する。
【００８４】
図１９に示す例では、購入画面であることを示すタイトル「購入画面」、選択された歌手名「田中Ａ子」と、田中Ａ子に関連するカラオケ曲の曲名「出会い」、「雨」及び「朝」と、各曲名に設けられた購入ソフトウェアボタンと、カラオケ曲購入画面を終了するための終了ソフトウェアボタンとが表示されている。また、曲名「雨」に関連付けられた購入ソフトウェアボタンがカーソルにより選択されている。情報処理装置１は、カラオケ曲購入画面において購入ソフトウェアボタンが選択された場合、カラオケ曲データを購入するための購入情報を物品販売サーバ装置６に送信する。物品販売サーバ装置６は、購入情報を受信して代金決済処理を実行し、カラオケ曲データの購入を完了する。情報処理装置１は、購入完了後に物品販売サーバ装置６から送られてくるカラオケ曲データを受信する。
【００８５】
情報処理装置１は、サブメニュー「３．着信曲購入」が選択された場合、携帯端末装置３で再生可能である着信曲データを販売する物品販売サーバ装置６に接続し、選択された項目である歌手名からなる選択情報を送信する。この物品販売サーバ装置６は、ネットワーク網Ｎに接続した携帯端末装置３が閲覧可能である携帯端末装置用の物品販売サイトをネットワーク網Ｎ上に公開している。物品販売サーバ装置６は、選択された歌手名に関連する着信曲を検索し、検索した着信曲のデータを販売する携帯端末装置用の物品販売サイトのＵＲＬ情報を情報処理装置１に送信する。
【００８６】
情報処理装置１は、ＵＲＬ情報を受信し、ＵＲＬ情報の送信先を選択するための送信画面を表示し送信先の選択を受付ける。情報処理装置１は、選択された送信先の電子メールアドレス及び電子書籍データの送信元である携帯端末装置３が受信可能な電子メールアドレスにＵＲＬ情報を送信する。ＵＲＬ情報を受信した携帯端末装置３は、受信したＵＲＬで指定された携帯端末装置用の物品販売サイトに接続して着信曲データを購入することが可能となる。
【００８７】
図２０は、実施の形態３に係るＣＤ及びＤＶＤ購入又は電子書籍購入に関する選択操作処理及び購入処理の手順を示すフローチャートである。サブメニュー「１．ＣＤ，ＤＶＤ購入」又は「電子書籍購入」が選択された場合、情報処理装置１のＣＰＵ１１は、物品販売サーバ装置６、６、…のうち、ＣＤ及びＤＶＤ又は電子書籍を販売する物品販売サーバ装置６に接続する（ステップＳ１１１）。ＣＰＵ１１は、選択情報を物品販売サーバ装置６に送信する（ステップＳ１１２）。物品販売サーバ装置６は、情報処理装置１から送られてきた選択情報を受信する（ステップＳ１１３）。物品販売サーバ装置６は、選択情報に関連する商品を検索し（ステップＳ１１４）、検索した商品の購入画面を情報処理装置１に送信する（ステップＳ１１５）。
【００８８】
情報処理装置１のＣＰＵ１１は、物品販売サーバ装置６から送られてきた購入画面を受信する（ステップＳ１１６）。ＣＰＵ１１は、出力している閲覧画面の画像信号を購入画面の画像信号に切り替える（ステップＳ１１７）。ＣＰＵ１１は、購入画面の終了ソフトウェアボタンが選択されたか否かを判定する（ステップＳ１１８）。ＣＰＵ１１は、終了ソフトウェアボタンが選択されていないと判定した場合（ステップＳ１１８でＮＯ）、購入ソフトウェアボタンが選択されたか否かを判定する（ステップＳ１１９）。ＣＰＵ１１は、購入ソフトウェアボタンが選択されていないと判定した場合（ステップＳ１１９でＮＯ）、終了ソフトウェアボタンが選択されたか否かを判定するステップＳ１１８に処理を戻す。
【００８９】
ＣＰＵ１１は、購入ソフトウェアボタンが選択されたと判定した場合（ステップＳ１１９でＹＥＳ）、購入情報を物品販売サーバ装置６に送信する（ステップＳ１２０）。物品販売サーバ装置６は、情報処理装置１から送られてきた購入情報を受信して（ステップＳ１２１）、代金決済処理を実行し（ステップＳ１２２）、ＣＤ及びＤＶＤ購入に関する購入処理を終了する。情報処理装置１のＣＰＵ１１は、出力している購入画面の画像信号を閲覧画面の画像信号に切替えて（ステップＳ１２３）、ＣＤ及びＤＶＤ又は電子書籍購入に関する選択操作処理を終了する。ＣＰＵ１１は、終了ソフトウェアボタンが選択されたか否かを判定するステップＳ１１８において、終了ソフトウェアボタンが選択されていると判定した場合（ステップＳ１１８でＹＥＳ）、出力している購入画面の画像信号を閲覧画面の画像信号に切り替えるステップＳ１２３に処理を移し、ＣＤ及びＤＶＤ又は電子書籍購入に関する選択操作処理を終了する。 
【００９０】
図２１は、実施の形態３に係るカラオケ曲購入に関する選択操作処理及び購入処理の手順を示すフローチャートである。サブメニュー「２．カラオケ曲購入」が選択された場合に行われた場合、情報処理装置１のＣＰＵ１１は、物品販売サーバ装置６、６、…のうち、カラオケ曲データを販売する物品販売サーバ装置６に接続する（ステップＳ１３１）。ＣＰＵ１１は、選択情報を含む購入情報を生成し（ステップＳ１３２）、購入情報を物品販売サーバ装置６に送信する（ステップＳ１３３）。物品販売サーバ装置６は、情報処理装置１から送られてきた購入情報を受信し（ステップＳ１３４）、代金決済処理を実行する（ステップＳ１３５）。
【００９１】
物品販売サーバ装置６は、購入が完了したカラオケ曲データを情報処理装置１に送信し（ステップＳ１３６）、購入処理を終了する。情報処理装置１のＣＰＵ１１は、物品販売装置６から送られてきたカラオケ曲データを受信する（ステップＳ１３７）。ＣＰＵ１１は、出力している購入画面の画像信号を閲覧画面の画像信号に切替えて（ステップＳ１３８）、カラオケ曲購入に関する選択操作処理を終了する。
【００９２】
図２２は、実施の形態３に係るカラオケ曲購入に関する選択操作処理及び購入処理の他の手順を示すフローチャートである。サブメニュー「２．カラオケ曲購入」が選択された場合、情報処理装置１のＣＰＵ１１は、物品販売サーバ装置６、６、…のうち、カラオケ曲データを販売する物品販売サーバ装置６に接続する（ステップＳ１４１）。ＣＰＵ１１は、選択情報を物品販売サーバ装置６に送信する（ステップＳ１４２）。物品販売サーバ装置６は、情報処理装置１から送られてきた選択情報を受信する（ステップＳ１４３）。物品販売サーバ装置６は、選択情報に関連するカラオケ曲を検索し（ステップＳ１４４）、検索したカラオケ曲からなるカラオケ曲リストを情報処理装置１に送信する（ステップＳ１４５）。
【００９３】
情報処理装置１のＣＰＵ１１は、物品販売サーバ装置６から送られてきたカラオケ曲リストを受信する（ステップＳ１４６）。ＣＰＵ１１は、カラオケ曲リストに基いて購入画面を生成し（ステップＳ１４７）、出力している閲覧画面の画像信号を購入画面の画像信号に切り替える（ステップＳ１４８）。ＣＰＵ１１は、購入画面の終了ソフトウェアボタンが選択されたか否かを判定する（ステップＳ１４９）。ＣＰＵ１１は、終了ソフトウェアボタンが選択されていないと判定した場合（ステップＳ１４９でＮＯ）、購入画面の購入ソフトウェアボタンが選択されたか否かを判定する（ステップＳ１５０）。ＣＰＵ１１は、購入ソフトウェアボタンが選択されていないと判定した場合（ステップＳ１５０でＮＯ）、終了ソフトウェアボタンが選択されたか否かを判定するステップＳ１４９に処理を戻す。
【００９４】
ＣＰＵ１１は、購入ソフトウェアボタンが選択されたと判定した場合（ステップＳ１５０でＹＥＳ）、購入情報を物品販売サーバ装置６に送信する（ステップＳ１５１）。物品販売サーバ装置６は、情報処理装置１から送られてきた購入情報を受信し（ステップＳ１５２）、代金決済処理を実行する（ステップＳ１５３）。物品販売サーバ装置６は、購入されたカラオケ曲のデータであるカラオケ曲データを情報処理装置１に送信し（ステップＳ１５４）、購入処理を終了する。情報処理装置１のＣＰＵ１１は、物品販売サーバ装置６から送られてきたカラオケ曲データを受信する（ステップＳ１５５）。
【００９５】
ＣＰＵ１１は、出力している購入画面の画像信号を閲覧画面の画像信号に切替え（ステップＳ１５６）、カラオケ曲購入に関する選択操作処理を終了する。ＣＰＵ１１は、購入画面の終了ソフトウェアボタンが選択されたか否かを判定するステップＳ１４９において、終了ソフトウェアボタンが選択されていると判定した場合（ステップＳ１４９でＹＥＳ）、出力している購入画面の画像信号を閲覧画面の画像信号に切替えるステップＳ１５６に処理を移す。
【００９６】
図２３は、実施の形態３に係る着信曲購入に関する選択操作処理及び送信処理の手順を示すフローチャートである。サブメニュー「３．着信曲購入」が選択された場合、情報処理装置１のＣＰＵ１１は、物品販売サーバ装置６、６、…のうち、着信曲を販売する物品販売サーバ装置６に接続する（ステップＳ１６１）。情報処理装置１のＣＰＵ１１は、選択情報を物品販売サーバ装置６に送信する（ステップＳ１６２）。物品販売サーバ装置６は、情報処理装置１から送られてきた選択情報を受信する（ステップＳ１６３）。物品販売サーバ装置６は、選択情報に関連する着信曲を検索し（ステップＳ１６４）、検索した着信曲を販売する携帯端末装置用の物品販売サイトのＵＲＬ情報を情報処理装置１に送信し（ステップＳ１６５）、送信処理を終了する。
【００９７】
情報処理装置１のＣＰＵ１１は、物品販売サーバ装置６から送られてきたＵＲＬ情報を受信する（ステップＳ１６６）。ＣＰＵ１１は、出力している閲覧画面の画像信号を送信画面の画像信号へ切り替える（ステップＳ１６７）。ＣＰＵ１１は、送信画面の終了ソフトウェアボタンが選択されたか否かを判定する（ステップＳ１６８）。ＣＰＵ１１は、終了ソフトウェアボタンが選択されていないと判定した場合（ステップＳ１６８でＮＯ）、送信画面の送信ソフトウェアボタンが選択されたか否かを判定する（ステップＳ１６９）。ＣＰＵ１１は、送信ソフトウェアボタンが選択されていないと判定した場合（ステップＳ１６９でＮＯ）、終了ソフトウェアボタンが選択されたか否かを判定するステップＳ１６８に処理を戻す。
【００９８】
ＣＰＵ１１は、送信ソフトウェアボタンが選択されたと判定した場合（ステップＳ１６９でＹＥＳ）、電子メールアドレスデータベース１４から送信画面において選択された送信先の電子メールアドレス及び携帯端末装置３が受信可能な電子メールアドレスを読み出して（ステップＳ１７０）、ＵＲＬ情報を電子メール送信する（ステップＳ１７１）。ＣＰＵ１１は、出力している送信画面の画像信号から閲覧画面の画像信号に切り替えて（ステップＳ１７２）、着信曲購入に関する選択操作処理を終了する。また、ＣＰＵ１１は、終了ソフトウェアボタンが選択されたか否かを判定するステップＳ１６８において、終了ソフトウェアボタンが選択されたと判定した場合（ステップＳ１６８でＹＥＳ）、閲覧画面の画像信号に切り替えるステップＳ１７２に処理を移して着信曲購入に関する選択操作処理を終了する。
【００９９】
本実施の形態３は、情報処理装置１が電子書籍、ＣＤ、ＤＶＤ、カラオケ曲及び着信曲の購入に関する選択操作処理を行う場合を示したが、これに限るものではなく曲内容情報をなす複数の項目から選択された項目と関連する商品であればよい。また、選択情報は、書誌情報及び曲内容情報をなす複数の項目から選択されて送信される場合を示したが、これに限るものではなく書誌情報及び曲内容情報のいずれか１つから選択されて送信されるようにしてもよい。物品販売サーバ装置６により代金決済処理が行われる場合を示したが、これに限るものではなく物品販売サーバ装置６と異なる代金決済サーバ装置を設けて、購入情報を代金決済サーバ装置に送信するようにしてもよい。
【０１００】
本実施の形態３は、情報処理装置１から表示装置２へ画像信号及び音声信号が出力されて表示及び再生される場合を示したが、これに限るものではなく画像信号出力部１５及び音声信号出力部１６夫々から情報処理装置１に設けた表示部及び放音部に画像信号及び音声信号を出力して表示及び再生するよう構成してもよい。
【０１０１】
本実施の形態３は以上の如き構成としてあり、その他の構成及び作用は実施の形態１と同様であるので対応する部分には同一の符号及び処理名を付してその詳細な説明を省略する。
【０１０２】
実施の形態４
図２４は、実施の形態４に係る情報処理装置の内部構成を示すブロック図である。本実施の形態４は、実施の形態１、実施の形態２及び実施の形態３が情報処理装置に備えられたＲＯＭからコンピュータプログラムを読み出して実行するのに対して記録媒体から読み出して実行するよう構成してある。情報処理装置７のＣＰＵ１１には、バス１１ａを介して記録媒体読込部７１及びＥＥＰＲＯＭ（ Electrically Erasable Programmable Read-Only Memory ）７２が接続されている。ＥＥＰＲＯＭ７２は、本発明のコンピュータプログラム７１１を記憶する書き換え可能なメモリであり、フラッシュメモリ等である。情報処理装置７は、記録媒体読込部７１に挿入された記録媒体７１０からコンピュータプログラム７１１を読み込んでＥＥＰＲＯＭ７２に記憶するようにしてある。
【０１０３】
ＣＰＵ１１は、ＥＥＰＲＯＭ７２が記憶する本発明のコンピュータプログラム７１１に従って、本発明の情報処理装置７に必要な処理を実行する構成となっている。コンピュータプログラム７１１は、ＣＰＵ１１に情報処理装置７が受信した電子書籍データに含まれる書誌情報をネットワーク通信部１８からネットワーク網Ｎを介して曲配信サーバ装置４へ送信させ、書誌情報に応じて曲配信サーバ装置４から送られてきた曲データを取得する（曲データ取得ステップ）。コンピュータプログラム７１１は、ＣＰＵ１１に取得した曲データを音声信号に変換させる（変換ステップ）。
【０１０４】
本発明に係るコンピュータプログラム７１１は、ＣＤ−ＲＯＭ又はＤＶＤ−ＲＯＭ等の記録媒体７１０だけでなく、メモリカード等の外部メモリに記憶させておくこともできる。この場合、ＣＰＵ１１に接続される図示しない外部メモリからコンピュータプログラム７１１を読み出してＥＥＰＲＯＭ７２に記憶させる。さらにＣＰＵ１１に接続された図示しない外部のサーバーコンピュータとの間で通信を確立し、係るコンピュータプログラム７１１をＥＥＰＲＯＭ７２へダウンロードしても良い。
【０１０５】
本実施の形態４は以上の如き構成としてあり、その他の構成及び作用は実施の形態１と同様であるので対応する部分には同一の符号及び処理名を付してその詳細な説明を省略する。
【図面の簡単な説明】
【０１０６】
【図１】実施の形態１に係る電子書籍表示システムのネットワーク構成を示す模式図である。
【図２】実施の形態１に係る情報処理装置、携帯端末装置及び遠隔操作装置の内部構成を示すブロック図である。
【図３】実施の形態１に係る曲配信サーバ装置の内部構成を示すブロック図である。
【図４】実施の形態１に係る待受け画面の例を示す模式図である。
【図５】実施の形態１に係る閲覧画面の例を示す模式図である。
【図６】実施の形態１に係る閲覧画面の他の例を示す模式図である。
【図７】実施の形態１に係る送信画面の例を示す模式図である。
【図８】実施の形態１に係る携帯端末装置、情報処理装置及び曲配信サーバ装置で実行される閲覧表示処理の手順を示すフローチャートである。
【図９】実施の形態１に係る携帯端末装置、情報処理装置及び曲配信サーバ装置で実行される閲覧表示処理の手順を示すフローチャートである。
【図１０】実施の形態１に係る携帯端末装置、情報処理装置及び曲配信サーバ装置で実行される閲覧表示処理の手順を示すフローチャートである。
【図１１】実施の形態１に係る閲覧操作処理の手順を示すフローチャートである。
【図１２】実施の形態１に係る選択操作処理の手順を示すフローチャートである。
【図１３】実施の形態１に係る関連情報送信処理の手順を示すフローチャートである。
【図１４】実施の形態２に係る携帯端末装置、情報処理装置及び曲配信サーバ装置で実行される閲覧表示処理の手順を示すフローチャートである。
【図１５】実施の形態２に係る携帯端末装置、情報処理装置及び曲配信サーバ装置で実行される閲覧表示処理の手順を示すフローチャートである。
【図１６】実施の形態２に係る携帯端末装置、情報処理装置及び曲配信サーバ装置で実行される閲覧表示処理の手順を示すフローチャートである。
【図１７】実施の形態３に係る電子書籍表示システムのネットワーク構成を示す模式図である。
【図１８】実施の形態３に係る閲覧画面の例を示す模式図である。
【図１９】実施の形態３に係るカラオケ曲購入画面の例を示す模式図である。
【図２０】実施の形態３に係るＣＤ及びＤＶＤ購入又は電子書籍購入に関する選択操作処理及び購入処理の手順を示すフローチャートである。
【図２１】実施の形態３に係るカラオケ曲購入に関する選択操作処理及び購入処理の手順を示すフローチャートである。
【図２２】実施の形態３に係るカラオケ曲購入に関する選択操作処理及び購入処理の他の手順を示すフローチャートである。
【図２３】実施の形態３に係る着信曲購入に関する選択操作処理及び送信処理の手順を示すフローチャートである。
【図２４】実施の形態４に係る情報処理装置の内部構成を示すブロック図である。
【符号の説明】
【０１０７】
１,７  情報処理装置
２  表示装置
３  携帯端末装置
４  曲配信サーバ装置
５  検索サーバ装置
６  物品販売サーバ装置
１０  遠隔操作装置
１１,３１,４１  ＣＰＵ
１１ａ,３１ａ,４１ａ  バス
１２，３２，４２  ＲＯＭ
１３，３３，４３  ＲＡＭ
１４  電子メールアドレスデータベース
１５  画像信号出力部
１６  音声信号出力部
１７  携帯端末通信部
１８,４５  ネットワーク通信部
１９  遠隔操作信号受信部
２０  マイク信号入力端子
２１  ミキサアンプ
２２  音声信号出力端子
２３  画像信号出力端子
３５  表示部
３６  音声出力部
３７  通信部
３８  記憶部
３９,１０１  操作受付部
４４  曲データベース
１０２  遠隔操作信号送信部
２０１  マイクロフォン
７１  記録媒体読込部
７２  ＥＥＰＲＯＭ
７１０  記録媒体
７１１  コンピュータプログラム
Ｎ  ネットワーク網
【図１】
2010068044.tif 000003
【図２】
2010068044.tif 000004
【図３】
2010068044.tif 000005
【図４】
2010068044.tif 000006
【図５】
2010068044.tif 000007
【図６】
2010068044.tif 000008
【図７】
2010068044.tif 000009
【図８】
2010068044.tif 000010
【図９】
2010068044.tif 000011
【図１０】
2010068044.tif 000012
【図１１】
2010068044.tif 000013
【図１２】
2010068044.tif 000014
【図１３】
2010068044.tif 000015
【図１４】
2010068044.tif 000016
【図１５】
2010068044.tif 000017
【図１６】
2010068044.tif 000018
【図１７】
2010068044.tif 000019
【図１８】
2010068044.tif 000020
【図１９】
2010068044.tif 000021
【図２０】
2010068044.tif 000022
【図２１】
2010068044.tif 000023
【図２２】
2010068044.tif 000024
【図２３】
2010068044.tif 000025
【図２４】
2010068044.tif 000026